【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
眼鏡のレンズの１つ以上の光学パラメータを決定する方法であって、前記方法は、
前記レンズを介して取り込まれた物体の少なくとも１つの画像の画像情報を処理するステップと、
前記画像情報に基づいて、前記レンズの前記１つ以上の光学パラメータを決定するステップと、を含む、方法。
【請求項２】
前記画像が取り込まれるときの、画像取り込み装置のオートフォーカス情報に基づいて、前記レンズの度数を決定するステップを含む、請求項１に記載の方法。
【請求項３】
前記物体と前記画像取り込み装置との間の第１の距離で前記レンズを介して取り込まれた前記物体の第１の画像および前記物体と前記画像取り込み装置との間の第２の距離で前記レンズなしに取り込まれた前記物体の第２の画像を処理するステップと、前記第１の距離および前記第２の距離、前記第１の画像が取り込まれるときの前記画像取り込み装置の第１のオートフォーカス情報、ならびに前記第２の画像が取り込まれるときの前記画像取り込み装置の第２のオートフォーカス情報に基づいて、前記レンズの前記度数を決定するステップと、を含む、請求項２に記載の方法。
【請求項４】
前記画像内の１つ以上の空間周波数の鮮明度の鮮明度パラメータに基づいて、前記レンズの度数を決定するステップを含む、請求項１に記載の方法。
【請求項５】
前記物体と画像取り込み装置との間の複数のそれぞれの距離で前記レンズを介さずに取り込まれた前記物体の複数の画像を処理するステップと、前記１つ以上の空間周波数を含む前記複数の画像のうちの最も鮮明な画像を決定するステップと、前記最も鮮明な画像が取り込まれるときの前記物体と前記画像取り込み装置との間の第１の距離および前記少なくとも１つの画像が前記レンズを介して取り込まれるときの前記物体と前記画像取り込み装置との間の第２の距離に基づいて、前記レンズの前記度数を決定するステップとを含む、請求項４に記載の方法。
【請求項６】
前記物体の１つ以上の寸法に少なくとも基づいて、前記レンズの前記１つ以上の光学パラメータを決定するステップを含む、請求項１に記載の方法。
【請求項７】
前記画像内の前記物体の１つ以上の画像化された寸法を決定するステップと、前記１つ以上の寸法と前記１つ以上の画像化された寸法との間の倍率に少なくとも基づいて、前記レンズの前記１つ以上の光学パラメータを決定するステップとを含む、請求項６に記載の方法。
【請求項８】
前記画像内の１つ以上の空間周波数の１つ以上の視覚効果に基づいて、前記レンズの円柱軸の存在を特定するステップを含む、請求項１に記載の方法。
【請求項９】
前記１つ以上の空間周波数の非対称ぼやけの角度に少なくとも基づいて、前記円柱軸を決定するステップを含む、請求項８に記載の方法。
【請求項１０】
前記空間周波数の最も鮮明な部分の角度に少なくとも基づいて、前記円柱軸の存在を決定するステップを含む、請求項８に記載の方法。
【請求項１１】
前記物体の１つ以上の空間要素と前記画像内の１つ以上の画像化された空間要素との間の比較に基づいて、前記レンズの円柱軸を決定するステップを含む、請求項１に記載の方法。
【請求項１２】
複数の角度にある前記空間要素の複数の回転に対応する複数の画像を処理するステップと、前記物体の前記１つ以上の空間要素と前記１つ以上の画像化された空間要素との間の複数の倍率を決定するステップと、前記倍率に基づいて、前記円柱軸を決定するステップとを含む、請求項１１に記載の方法。
【請求項１３】
前記画像が取り込まれるときの前記物体と画像取り込み装置との間の距離に基づいて、前記レンズの前記１つ以上の光学パラメータを決定するステップを含む、請求項１に記載の方法。
【請求項１４】
前記画像取り込み装置の加速度を示す加速度情報に基づいて、前記物体と前記画像取り込み装置との間の前記距離を決定するステップを含む、請求項１３に記載の方法。
【請求項１５】
前記レンズの円柱軸に基づいて、前記レンズの円柱度数を決定するステップを含む、請求項１に記載の方法。
【請求項１６】
前記円柱軸において前記レンズの第１の度数を決定するステップと、前記円柱軸に垂直な垂直軸において前記レンズの第２の度数を決定するステップと、前記第１の度数および前記第２の度数に基づいて、前記円柱度数を決定するステップとを含む、請求項１５に記載の方法。
【請求項１７】
前記眼鏡の前記レンズと他のレンズとの間の瞳孔間距離を、前記レンズの第１の中心と前記他のレンズの第２の中心との間の距離に基づいて、決定するステップを含む、請求項１に記載の方法。
【請求項１８】
前記レンズなしに取り込まれる前記物体の第１の画像を処理するステップと、
前記第１の画像と相互に位置が合った、前記レンズを介して取り込まれた第２の画像を特定するステップと、
前記第２の画像が取り込まれるときの第１の位置を決定するステップと、
前記第１の画像と相互に位置が合った、前記他のレンズを介して取り込まれた第３の画像を特定するステップと、
前記第３の画像が取り込まれるときの第２の位置を決定するステップと、
前記第１の位置および前記第２の位置に基づいて、前記瞳孔間距離を決定するステップとを含む、請求項１７に記載の方法。
【請求項１９】
前記少なくとも１つの画像に基づいて、前記レンズの符号を決定するステップを含む、請求項１に記載の方法。
【請求項２０】
前記レンズが特定の方向に移動されるときに前記レンズを介して取り込まれた前記物体の画像を含む複数の取り込み画像内の移動パターンを特定するステップと、前記移動パターンに基づいて、前記レンズの前記符号を決定するステップとを含む、請求項１９に記載の方法。
【請求項２１】
前記レンズを介した前記物体の前記少なくとも１つの画像を含む単一の取り込み画像フレームに基づいて、前記レンズの前記１つ以上の光学パラメータを決定するステップを含む、請求項１に記載の方法。
【請求項２２】
前記レンズの前記１つ以上の光学パラメータは、球面度数、円柱度数、円柱軸、および前記眼鏡のレンズ間の瞳孔間距離からなる群から選択される１つ以上のパラメータを含む、請求項１に記載の方法。
【請求項２３】
表示装置に前記物体を表示させるようにトリガするステップを含む、請求項１に記載の方法。
【請求項２４】
前記表示装置上の前記物体の表示サイズを較正するステップを含む、請求項２３に記載の方法。
【請求項２５】
前記物体は、１つ以上の既知の寸法を有する物体を含み、前記方法は、前記寸法に基づいて、前記光学パラメータを決定するステップを含む、請求項１に記載の方法。
【請求項２６】
前記物体は、円対称または回転対称の物体を含む、請求項１に記載の方法。
【請求項２７】
センサに前記物体の前記画像の前記画像情報を取り込ませるようにトリガするステップを含む、請求項１に記載の方法。
【請求項２８】
前記レンズの前記１つ以上の光学パラメータを決定するステップが、前記画像情報に基づいて、前記レンズの円柱軸の存在を特定するステップと、前記画像内の前記物体の画像化された寸法を決定するステップと、前記物体の寸法と前記物体の前記画像化された寸法との間の倍率に少なくとも基づいて前記円柱軸に対応する前記レンズの第１の度数を決定するステップと、前記円柱軸に垂直な垂直軸に対応する前記レンズの第２の度数を決定するステップと、前記第１の度数および前記第２の度数に基づいて前記レンズの円柱度数を決定するステップとを含む、請求項１に記載の方法。
【請求項２９】
少なくとも１つのコンピュータプロセッサによって実行されると、請求項１〜２８のいずれか一項に記載の方法を実行するように動作可能なコンピュータ実行命令を備える１つ以上の有形コンピュータ可読非一時的格納媒体を備える製品。
【請求項３０】
請求項１〜２８のいずれか一項に記載の方法を実行するための手段を含む装置。
【請求項３１】
請求項１〜２８のいずれか一項に記載の方法に従って眼鏡のレンズの１つ以上の光学パラメータを決定するように構成されたモバイル装置であって、
前記レンズを介して前記物体の前記少なくとも１つの画像の画像情報を取り込むセンサと、
前記画像情報に基づいて、前記レンズの前記１つ以上の光学パラメータを決定するためのレンズメータモジュールと、を備えるモバイル装置。